(57)【要約】      （修正有）【課題】モータの駆動力を利用して要介護者を昇降させるので介助者の負担が軽減されると共に、移送中も要介護者の体を確実に固定して安全性を向上させた移乗装置を提供する。【解決手段】ベース部材３の底部にキャスター４を取付けた台車２の、ベース部材３の左右にガイド支柱５ａ、５ｂを立設し、ここに上下動自在に支柱８ａ、８ｂを取付け、この左右を連結部材９で連結し、ベース部材２の左右ガイド支柱５ａ、５ｂの中間にアクチュエーター１１を取付け、この上端を前記連結部材９に接続して上下動自在に支持し、この連結部材９にテーブル１２と手摺１３を取付けると共に、左右の支柱８ａ、８ｂに太もも支え部２７を左右に開閉自在に取付け、且つベース部材３に操作ハンドルを立設し、左右の太もも支え部２７に要介護者を乗せて上昇させた状態で移送するものである。【選択図】図１
0003202436.tif 000002
【実用新案登録請求の範囲】
【請求項１】
ベース部材の底部にキャスターを取付けた台車の、前記ベース部材の左右にガイド支柱を立設し、ここに上下動自在に支柱を取付け、この左右の支柱を連結部材で連結し、前記ベース部材の左右ガイド支柱の中間にアクチュエーターを取付け、このアクチュエーターの上端を前記連結部材に接続して上下動自在に支持し、この連結部材にテーブルと手摺を取付けると共に、左右の支柱に太もも支え部を左右に開閉自在に取付け、且つベース部材に操作ハンドルを立設したことを特徴とする移乗装置。
【請求項２】
左右に開閉自在に設けた太もも支え部に、閉じた状態でロックするロック機構が設けられていることを特徴とする請求項１記載の移乗装置。
【請求項３】
テーブルの中央部分に介助者の手を挿入する開口部が形成されていることを特徴とする請求項１記載の移乗装置。
【請求項４】
手摺に背抑えベルトを取付けるフックが取付けられていることを特徴とする請求項１記載の移乗装置。
【請求項５】
左右の太もも支え部を平面四角形状に形成し、この対向する先端コーナー部分を斜めに切欠したことを特徴とする請求項１記載の移乗装置。
【請求項６】
テーブルと、左右の太もも支え部の昇降範囲を規制するリミットスイッチを設けたことを特徴とする請求項１から５の何れかに記載の移乗装置。
【考案の詳細な説明】
【技術分野】
【０００１】
本考案は、歩行が困難な人をベッドから車椅子などに乗り移る時に使用する移乗装置の改良に関するものである。
【背景技術】
【０００２】
一般に介護施設では、歩行が困難な要介護者を入浴させる場合、ベッドに寝ている要介護者を車椅子に載せて、特殊浴槽室に併設されている脱衣まで移送し、脱衣のためベッドに載せ替え、入浴用のストレッチャーや車椅子、リフトなどに載せ替えて入浴させている。この場合、介助者がベッドに寝ている要介護者を２人がかりで抱きかかえ、入浴用の車椅子等に載せ替えを行っている介助者が、体力を必要とする上、腰に大きな負担がかかり、介助者にとっては重労働となっている。また要介護者にも抱きかかえの時にあざができるなど、大きな苦痛を伴うものになっていた。
【０００３】
このため種々の移乗器具が開発されているが、テコの原理を応用して少ない力で移乗させる装置も提案されている。例えば、キャスターを有する台座の左右に主柱を立設し、この主柱の上部側に湾曲した回転軸棒をそれぞれ取付け、この回転軸棒にブレーキ歯車を介して湾曲したマット本体を一体に取付け、マット本体の先端側に操作ハンドルを設け、後端側に尻を支える受板を設けた移乗装置（特許文献１）が開発されている。
【０００４】
この移乗装置は、マットが人の背中のように湾曲した形状をなし、ここに移乗者（要介護者）がうつ伏せになってオンブされた子供のように寄りかかった状態で保持してから、介助者が操作ハンドルを下げると、テコの原理により小さな力でマットに寄りかかった移乗者を持ち上げて、そのまま移動することができる。
【０００５】
しかしながらこの移乗装置では、湾曲したマットの上に移乗者がうつ伏せになって移動するため、骨が弱い高齢者の場合、胸が圧迫されて肋骨を骨折する危険性がある。
【０００６】
このため、キャスターを取付けたベース枠の左右両側に、２本の回動支柱を回動自在に立設し、これら左右の回動支柱の上部に腕支持部材をそれぞれ平行に取付けて、この腕支持部材の先端側を操作ハンドルとし、中間部に把持棒を突設し、腕支持部材の後部側に太もも支え部を吊り下げ、前記ベース枠に回動支柱の回動範囲を規制するストッパーを設けると共に足載せ部を設けて構成され、移乗者の脇の下から左右の腕支持部材の後部側を挿入して移乗者の太ももの下側を太もも支え部で支えてから、移乗者の足を足載せ部に載せ、把持棒を手でつかんだ状態で、介助者が操作ハンドルを下げてテコの原理により移乗者を持ち上げて移動させるようにした移乗装置（特許文献２）も開発されている。
【０００７】
この移乗装置は、介助者が操作ハンドルを下げてテコの原理により移乗者を持ち上げて移動でき、また椅子などに座らせる時には操作ハンドルを上げてテコの原理により少ない力で移乗者を座らせることができるので介助者にとって負担が少ない。また移乗者の胸を圧迫しないので、楽な姿勢で移乗することができる。しかも構造が簡単で小型であり、安価に製造することができる利点がある。
【０００８】
しかしながらこの移乗装置は、移送中、介助者が操作ハンドルを下げて移動しなければならず、介助者にとって負担となっていた。
【０００９】
このためモ−タを用いた移乗装置も開発されている。例えば、車椅子に対向して設置される基台部と、該基台部に対して上下方向と水平方向に移動可能に設けられた移動基台と、該移動基台に設けられた案内バーを具備し、案内バーが上記人体と上記車椅子の間の穴の開いた座シートに挿入され、該人体を上下方向に移動させて該車椅子から浮上させ、且つ上記人体を水平方向に移動させて上記目的地に着座させる移乗装置（特許文献３）が提案されている。
【００１０】
この移乗装置はモーターを用いて、案内バーを昇降および水平方向に回転させて、ベッドから車椅子への移動や自動車の乗車が容易であるが、案内バーが上昇して要介護者がこの上に乗るので、比較的軽度の要介護者しか利用できず、また体を固定する装置がないので安定性が悪い問題がある。
【先行技術文献】
【特許文献】
【００１１】
【特許文献１】特開２００５−２１１７８号公報
【特許文献２】特開２０１２−１３５５６０号公報
【特許文献３】特開２０１５−１５０４０３号公報
【考案の概要】
【考案が解決しようとする課題】
【００１２】
本考案は上記問題を改善し、モ−タの駆動力を利用して要介護者を昇降させるので介助者の負担が軽減されると共に、脱衣ベッドから入浴椅子などへの移動中も要介護者の体を確実に固定して安全性を向上させた移乗装置を提供するものである。
【課題を解決するための手段】
【００１３】
本考案の請求項１記載の移乗装置は、ベース部材の底部にキャスターを取付けた台車の、前記ベース部材の左右にガイド支柱を立設し、ここに上下動自在に支柱を取付け、この左右の支柱を連結部材で連結し、前記ベース部材の左右ガイド支柱の中間にアクチュエーターを取付け、このアクチュエーターの上端を前記連結部材に接続して上下動自在に支持し、この連結部材にテーブルと手摺を取付けると共に、左右の支柱に太もも支え部を左右に開閉自在に取付け、且つベース部材に操作ハンドルを立設したことを特徴とするものである。
【００１４】
本考案の請求項２記載の移乗装置は、請求項１において、左右に開閉自在に設けた太もも支え部に、閉じた状態でロックするロック機構が設けられていることを特徴とするものである。
【００１５】
本考案の請求項３記載の移乗装置は、請求項１において、テーブルの中央部分に介助者の手を挿入する開口部が形成されていることを特徴とするものである。
【００１６】
本考案の請求項４記載の移乗装置は、請求項１において、手摺に背抑えベルトを取付けるフックが取付けられていることを特徴とするものである。
【００１７】
本考案の請求項５記載の移乗装置は、請求項１において、左右の太もも支え部を平面四角形状に形成し、この対向する先端コーナー部分を斜めに切欠したことを特徴とするものである。
【００１８】
本考案の請求項６記載の移乗装置は、請求項１から５の何れかに記載の移乗装置において、テーブルと、左右の太もも支え部の昇降範囲を規制するリミットスイッチを設けたことを特徴とするものである。
【考案の効果】
【００１９】
本考案に係る請求項１記載の移乗装置によれば、左右の太もも支え部を内側に向かって閉じると、この上に要介護者の太ももが乗った状態となる。この後、アクチュエーターを駆動させて太もも支え部を上昇させ、要介護者の体を保持した状態でベッドなどから浮かせ、介助者は操作ハンドルを持って移乗装置を移動させ、風呂場などに移送して、ここで太もも支え部を下降させてから左右の太もも支え部を外側に開いて、入浴用のストレッチャーや車椅子、リフトなどに載せ替えるので、介助者の負担が軽減されると共に、移送中も要介護者の安全性を保持することができる。
【００２０】
また請求項２記載の移乗装置によれば、ロック機構が設けられているので、左右の太もも支え部が閉じた状態でロックされ、安全に移送することができる。
【００２１】
また請求項３記載の移乗装置によれば、テーブルの中央部分に介助者の手を挿入する開口部が形成されているので、介助者の手を開口部から挿入して要介護者の太ももを持ち上げられるため、太もも支え部の開閉が容易であり、皮膚などの挟み込みを防ぎ安全である。
【００２２】
また請求項４記載の移乗装置によれば、手摺に背抑えベルトを取付けるフックが取付けられているので、介助者が要介護者の背中に背抑えベルトを掛け、その先端をフックに掛けて、移送中の安全性を向上することができる。これによって重度の要介護者であっても安定した状態で乗り移りをさせることができる。
【００２３】
また請求項５記載の移乗装置によれば、左右の太もも支え部を平面四角形状に形成し、この対向する先端コーナー部分を斜めに切欠したので、裸体で使用する場合に男性の睾丸を挟まない。
【００２４】
また請求項６記載の移乗装置によれば、昇降範囲を規制するリミットスイッチが設けられているので、テーブルと、左右の太もも支え部を最適な高さに調整することができる。
【図面の簡単な説明】
【００２５】
【図１】本考案の実施の一形態による移乗装置の背面側から見た斜視図である。
【図２】図１に示す移乗装置を正面側から見た斜視図である。
【図３】図１に示す移乗装置の平面図である。
【図４】図１に示す移乗装置の側面図である。
【図５】図１に示すガイド支柱と支柱の組み合わせ構造の断面図である。
【図６】（Ａ）支持軸に取付けた回転体の動作を示す斜視図、（Ｂ）支持軸に取付けた回転体がロックされた状態を示す斜視図である。
【図７】移乗装置に要介護者が乗った状態を示す側面図である。
【図８】本考案の他の実施の形態によるロック機構の平面図である。
【図９】図８の側面図である。
【考案を実施するための最良の形態】
【００２６】
以下本考案の実施の一形態を図１ないし図７を参照して詳細に説明する。図において１は移乗装置を示すもので、２はその底部を構成する台車で、この台車２は図３に示すように平面コ字形に形成されたベース部材３の底部に４個のキャスター４が取付けられている。このキャスター４の１個は、図４に示すように回転と首ふりを一緒にロックできダブルロックキャスターで構成されている。
【００２７】
前記ベース部材３には左右のガイド支柱５ａ、５ｂが立設されている。このガイド支柱５ａ、５ｂは図５に示すように角パイプで形成され、この３側面に平滑な樹脂で形成された滑り板６が取付けられている。このガイド支柱５ａ、５ｂの外側には同様に角パイプで形成された支柱８ａ、８ｂが上下動自在に取付けられている。この一方の支柱８ａの下方のベース部材３に図４に示すようにリミットスイッチ７が設けられ、ここで最下部を設定し、昇降範囲を規制するようになっている。
【００２８】
この左右の支柱８ａ、８ｂは図１に示すように、その上端が連結部材９で連結されている。また前記ベース部材３の中央には支持ブラケット１０が取付けられ、この上面にアクチュエーター１１が取付けられている。このアクチュエーター１１のシリンダはその上部が前記連結部材９の底面に接続され、シリンダの上下動により、連結部材９とこの両端に接続した支柱８ａ、８ｂが上下動するようになっている。
【００２９】
更に連結部材９にはテーブル１２と手摺１３が取付けられている。このテーブル１２は先端が下方に湾曲し、この湾曲部１４が図７に示すように要介護者１８の太もも１９を上から押える太もも押え部２０となっている。更にテーブル１２の中央には、図３に示すように正方形状の開口部１５が開孔され、介助者の手を挿入するようになっている。また手摺１３はパイプで形成されて両端をブラケットで支持されて形成され、手摺１３の中央上面にはフック２１が突設されている。このフック２１は図７に示すように要介護者１８の背中に取付けた背抑えベルト２２の紐２３を引っ掛けるようになっている。またベース部材３には操作ハンドル１６が設けられている。
【００３０】
また左右の支柱８ａ、８ｂの中間には水平なブラケット２４が取付けられ、ここに図４に示すように回転体２５が上方に突設され、この回転体２５にアーム２６が回転自在に取付けられている。この左右のアーム２６には図２に示すように縦断面Ｌ字形で、平面四角形状に形成し、この対向する先端コーナー部分を斜めに切欠した太もも支え部２７が取付けられている。
【００３１】
前記円筒状の回転体２５は図６（Ａ）に示すように支持軸２９に取付けられて回転すると共に、支持軸２９に上下動自在に取付けられている。更に回転体２５の下部には半割円形状の溝部３０が形成されていると共に、側面に丸棒で形成された回転ストッパー３１が取付けられている。またブラケット２４には丸棒で形成された突起部３２が取付けられ、図６（Ｂ）に示すように、回転体２５が回転して突起部３２が溝部３０に嵌合して下降することにより、回転がロックされるロック機構３３が形成されている。また図１に示すように左右の支柱８ａ、８ｂの間には、すね支え２８が取付けられている。なお３４はアクチュエーター１１を駆動させるバッテリーである。
【００３２】
上記構成の移乗装置の使用方法について説明する。予め図示しない介助者は移乗装置１のアクチュエーター１１を制御して、テーブル１２と太もも押え部２０の高さを入浴椅子の高さに調整しておく。次に図７に示すように、要介護者１８をベッド３７の縁に座らせた状態で移乗装置１を前進させ台車２のベース部材３の先端をベッド３７の下に差し込む。この時、太もも支え部２７は図３に仮想線で示すように左右に開いた状態で差し込む。この後、ダブルロックキャスター４を踏んで、回転と首ふりをロックする。                
【００３３】
次に左側の太もも支え部２７を内向きに回動させて、介助者の手を開口部１５から挿入して要介護者１８の左脚の太ももを持ち上げて左側の太もも支え部２７を差し込む。同様にして要介護者１８の右脚の太ももを上げて右側の太もも支え部２７を差し込む。
【００３４】
このように左右の太もも支え部２７を図３に示すように内側に向かって閉じると、この上に要介護者１８の太もも１９が乗った状態となる。この時、平面四角形状の左右の太もも支え部２７は、対向する先端コーナー部分が斜めに切欠されているので、裸体で使用する場合に男性の睾丸を挟むのを防止できる。
【００３５】
このように左右の太もも支え部２７を内側に向かって閉じると、図６（Ａ）に示すように太もも支え部２７を支えるアーム２６を取付けた回転体２５は、突起部３２の上に乗った状態のまま支持軸２９の回りを回転し、同図（Ｂ）に示すように溝部３０が突起部３２のところに来ると下降してこれに嵌合し、左右の回転がロックされ、移送中に太もも支え部２７が開くのを防止できる。
【００３６】
この後、図７に示すように背抑えベルト２２を要介護者１８背中に回して長さを調整した紐２３の先端を手摺１３に突設したフック２１に掛ける。次に図示しない操作スイッチによりアクチュエーター１１を駆動させて太もも支え部２７を上昇させ、要介護者１８の体を保持した状態でベッド３７から例えば１５０ｍｍ上昇させて体を浮かせる。また要介護者１８のすねは、すね支え２８で支えられ、要介護者１８の前方への移動を防止して移乗装置１に保持される。
【００３７】
このように移乗装置１に要介護者１８を保持した状態で、介助者はダブルロックキャスター４を踏んでロックを解除してから操作ハンドル１６を握って移乗装置１を移動させ、風呂場などに移送し、ここで入浴用のストレッチャーや車椅子、リフトなどに載せ替える。太もも１９を載せた太もも支え部２７はロックされてのるので、介助者は手をテーブル１２の開口部１５から挿入して持ち上げて図３に仮想線で示すように太もも支え部２７を左右に開く。この時、図６（Ｂ）の状態から回転体２５を上昇させてロックを解除し、同図（Ａ）のように太もも支え部２７を支持するアーム２６と回転体２５を回転する。
【００３８】
図８、図９は本考案のロック機構の他の実施の形態を示すもので、アーム２６を接続した回転体２５の横に、アングル材で形成した連結ブラケット４０が接続され、ここに円筒状のレバーガイド４１が接続されている。このレバーガイド４１にＬ形のレバー４２の垂直部が上下動自在に挿着されてのる。更にブラケット２４の横には丸孔のストッパー孔４３を形成したＬ形ブラケット４４が接合され、レバー４２の垂直部の下端が上下動自在に挿入されるようになってのる。またアーム２６には長孔４５が形成されたＬ形のガイドブラケット４６が接続され、このガイドブラケット４６の長孔４５に前記Ｌ形のレバー４２の水平部の先端が挿入され上下にガイドされるようになっている。
【００３９】
上記構成のロック機構３３は、アーム２６が開く状態では、図９に仮想線で示すようにレバー４２を持ち上げて、垂直部の下端をストッパー孔４３から抜くとロックが解除されて、図８に仮想線で示すように、レバーガイド４１とレバー４２および太もも支え部２７を取付けたアーム２６が一体に回転する。左右の太もも支え部２７が閉じた状態では図９に示すように、レバー４２の垂直部の下端がストッパー孔４３の上方に位置し、ここでレバー４２を下げると下端がストッパー孔４３に挿入されて回転がロックされる。
【００４０】
したがってこのロック機構３３は、レバー４０の上下操作だけでロックできるので、図６に示す構造のように要介護者１８が座ったまま太もも支え部２７を持ち上げる必要がなく、介助者の負担が少ない。
【００４１】
なおロック機構３３は上記構造に限らず、太もも支え部２７が閉じた状態でロックできれば、他の構造でも良い。また太もも支え部２７はＬ形状に限らず平板状でも良い。
【符号の説明】
【００４２】
１    移乗装置                                              
２    台車                                                  
３    ベース部材                                            
４    キャスター                                            
５ａ、５ｂ  ガイド支柱                                      
６    滑り板                                                
７    リミットスイッチ                                      
８ａ、８ｂ  支柱        
９    連結部材                
１０  支持ブラケット        
１１  アクチュエーター      
１２  テーブル            
１３  手摺                
１４  湾曲部            
１５  開口部              
１６  操作ハンドル    
１８  要介護者        
１９  太もも            
２０  太もも押え部    
２１  フック          
２２  背抑えベルト    
２３  紐                
２４  ブラケット    
２５  回転体          
２６  アーム            
２７  太もも支え部      
２８  すね支え      
２９  支持軸        
３０  溝部            
３１  回転ストッパー    
３２  突起部            
３３  ロック機構        
３４  バッテリー        
３７  ベッド      
４０  連結ブラケット    
４１  レバーガイド      
４２  レバー        
４３  ストッパー孔      
４４  Ｌ形ブラケット    
４５  長孔            
４６  ガイドブラケット      
【図１】
0003202436.tif 000003
【図２】
0003202436.tif 000004
【図３】
0003202436.tif 000005
【図４】
0003202436.tif 000006
【図５】
0003202436.tif 000007
【図６】
0003202436.tif 000008
【図７】
0003202436.tif 000009
【図８】
0003202436.tif 000010
【図９】
0003202436.tif 000011